(57)【特許請求の範囲】
【請求項１】
容器を保持する箱体と、前記箱体の開口を閉じる開閉可能な蓋体と、を備えた容器ホルダーであって、
前記蓋体の両端部に設けられた軸部と、
前記箱体に形成され、前記軸部を案内して前記蓋体を開閉させるガイド部と、
前記ガイド部又は前記軸部に設けられ、前記蓋体の開閉時に摺動抵抗を与える緩衝部材と、
を備え、
前記緩衝部材が、前記軸部に設けられた可撓性部材であって、前記可撓性部材の軸方向端部と摺動する突壁を前記ガイド部の底面に延設したことを特徴とする容器ホルダー。
【請求項２】
容器を保持する箱体と、前記箱体の開口を閉じる開閉可能な蓋体と、を備えた容器ホルダーであって、
前記箱体の両端部に設けられた軸部と、
前記蓋体に形成され、前記軸部に沿って前記蓋体を開閉させるガイド部と、
前記ガイド部又は前記軸部に設けられ、前記蓋体の開閉時に摺動抵抗を与える緩衝部材と、
を備え、
前記緩衝部材が、前記軸部に設けられた可撓性部材であって、前記可撓性部材の軸方向端部と摺動する突壁を前記ガイド部の底面に延設したことを特徴とする容器ホルダー。
【請求項３】
前記可撓性部材の幅を前記ガイド部の内幅よりも大きくしたことを特徴とする請求項１又は２に記載の容器ホルダー。
【請求項４】
前記蓋体を回転させるモーメントを発生させる付勢手段を設け、前記ガイド部に前記付勢手段によって発生するモーメントの向きを変える変曲部を設けたことを特徴とする請求項１〜３の何れか１項に記載の容器ホルダー。
【発明の詳細な説明】
【０００１】
【発明の属する技術分野】
本発明は、容器を保持する箱体に対して、箱体の開口を閉じる蓋体が開閉可能に取り付けられた容器ホルダーに関するものである。
【０００２】
【従来の技術】
自動車のセンターコンソールに設けられた容器ホルダーは、図９に示すように、本体１０６と蓋体１００とで構成されている。本体１０６の外側面には、ガイド部１０８が設けられており、このガイド部１０８はガイド領域１１０とガイド領域１１２とで構成されている。一方、蓋体１００の両端部からは、鉤状の軸板１１４が延出しており、この軸板１１４には、ボス１１６、１１８が内側へ向かって突設している。
【０００３】
また、軸板１１４にはトーションバネ１２０が設けられており、トーションバネ１２０による付勢力によって蓋体１００を自動的に開放或いは閉止させるようにしている。これにより、本体１０６の外側からボス１１６、１１８をガイド部１０８に係合させると、ボス１１６がガイド領域１１０内を移動し、ボス１１８がガイド領域１１２内を移動して、蓋体１００が開放或いは閉止する。
【０００４】
ここで、ガイド領域１１０、１１２内には、ボス１１６、１１８がそれぞれ係合するが、本体１０６の寸法のバラツキにより、図１０に示すように、ガイド領域１１０、１１２とボス１１６、１１８との間に隙間が生じる場合がある（なお、ガイド領域１１２とボス１１８との関係については、ガイド領域１１０とボス１１６と略同一であるため図示を省略する）。
【０００５】
この場合、蓋体１００を開放或いは閉止させると、蓋体１００がガタツキ、スムーズな動作を得ることができない恐れがある。
【０００６】
【発明が解決しようとする課題】
本発明は上記事実を考慮し、蓋体のスムーズな動作が得られる容器ホルダーを提供することを課題とする。
【０００７】
【課題を解決するための手段】
請求項１に記載の発明は、容器を保持する箱体と、前記箱体の開口を閉じる開閉可能な蓋体と、を備えた容器ホルダーであって、前記蓋体の両端部に設けられた軸部と、前記箱体に形成され、前記軸部を案内して前記蓋体を開閉させるガイド部と、前記ガイド部又は前記軸部に設けられ、前記蓋体の開閉時に摺動抵抗を与える緩衝部材と、を備え、前記緩衝部材が、前記軸部に設けられた可撓性部材であって、前記可撓性部材の軸方向端部と摺動する突壁を前記ガイド部の底面に延設している。
請求項１に記載の発明では、容器を保持する箱体に開口を閉じる蓋体が開閉可能に取り付けられている。この蓋体の両端部には軸部が設けられている。この軸部は箱体に形成されたガイド部によって案内され、これにより、蓋体が開閉する。
【０００８】
ここで、ガイド部又は軸部には緩衝部材を設けており、蓋体の開閉時に摺動抵抗を与えるようにしている。このため、蓋体が開閉するときのエネルギーが減衰され、蓋体が本体に当接するときの衝撃を緩和させることができる。
【０００９】
具体的には、軸部の端部に緩衝部材を設け、ガイド部内を摺動させて蓋体の開閉時に摺動抵抗を与えるようにしても良いし、また、ガイド部内にシボ、コーティング等を施し、ガイド部内の表面摩擦係数を上げることで、蓋体の開閉時に摺動抵抗を与えても良い。
また、緩衝部材が、軸部に設けられた可撓性部材であって、可撓性部材の軸方向端部と摺動する突壁をガイド部の底面に延設しているため、軸部又はガイド部の寸法のバラツキにより、軸部とガイド部との間に隙間が生じたとしても、ガイド部又は軸部に設けられた緩衝部材によって該バラツキを吸収することができるので、蓋体が開放或いは閉止する際に、蓋体がガタつくことがなく、スムーズな動作を得ることができる。また、ガイド部の底面だけでなく、側壁にも緩衝部材が摺動するため、緩衝部材による摺動抵抗を安定させることができる。
一方、ガイド部の底面から側壁の全面に渡って可撓性部材を摺動させると、摺動力が強すぎてしまい、蓋体の開放或いは閉止時に却って不都合が生じる場合もある。このため、ガイド部の底面に可撓性部材の軸方向端部と摺動する突壁を延設して、可撓性部材をガイド部の側壁及び突壁に摺動させることによって、適度な摺動力を得ることができる。
【００１０】
請求項２に記載の発明は、容器を保持する箱体と、前記箱体の開口を閉じる開閉可能な蓋体と、を備えた容器ホルダーであって、前記箱体の両端部に設けられた軸部と、前記蓋体に形成され、前記軸部に沿って前記蓋体を開閉させるガイド部と、前記ガイド部又は前記軸部に設けられ、前記蓋体の開閉時に摺動抵抗を与える緩衝部材と、を備え、前記緩衝部材が、前記軸部に設けられた可撓性部材であって、前記可撓性部材の軸方向端部と摺動する突壁を前記ガイド部の底面に延設している。
請求項２に記載の発明では、箱体の両端部に軸部を設けており、この軸部に沿って蓋体に形成されたガイド部が案内され、これにより、蓋体が開閉する。ここで、ガイド部又は軸部には緩衝部材を設け、蓋体の開閉時に摺動抵抗を与えるようにしている。
【００１１】
請求項３に記載の発明は、請求項１又は２に記載の容器ホルダーにおいて、前記可撓性部材の幅を前記ガイド部の内幅よりも大きくしている。
【００１２】
請求項３に記載の発明では、軸部に設けられた可撓性部材の幅をガイド部の内幅よりも大きくしているため、軸部又はガイド部の寸法のバラツキにより、軸部とガイド部との間に隙間が生じたとしても、ガイド部又は軸部に設けられた緩衝部材によって該バラツキを吸収することができるので、蓋体が開放或いは閉止する際に、蓋体がガタつくことがなく、スムーズな動作を得ることができる。また、ガイド部の底面だけでなく、側壁にも緩衝部材が摺動するため、緩衝部材による摺動抵抗を安定させることができる。
【００１５】
請求項４に記載の発明は、請求項１〜３の何れか１項に記載の容器ホルダーにおいて、前記蓋体を回転させるモーメントを発生させる付勢手段を設け、前記ガイド部に前記付勢手段によって発生するモーメントの向きを変える変曲部を設けている。
請求項４に記載の発明では、付勢手段によって、蓋体を回転させるモーメントが発生する。一方、ガイド部には付勢手段によって発生するモーメントの向きを変える変曲部を設けている。このため、軸部が変曲部を通過するとき、付勢手段による付勢力によって蓋体が自動的に開放或いは閉止する。
【００１６】
【発明の実施の形態】
次に、本形態に係る容器ホルダーの概要について説明する。
【００１７】
図１、図２及び図５には、本形態に係る容器ホルダー１０が示されている。容器ホルダー１０は車両の運転席と助手席との間に配置されたセンターコンソール１８に配置されており、センターコンソール１８に凹設された取付凹部２０内に収納可能となっている。
【００１８】
この取付凹部２０には、段部２２が設けられており、段部２２には位置決め穴２２Ａが形成され、容器ホルダー１０を構成する本体１２のフランジ部２４に設けられた突起部２６が挿入して本体１２の位置決めを行う。
【００１９】
また、図４に示すように、取付凹部２０の両側部には被係合部２０Ａが設けられており、本体１２の両側部に設けられた爪部２８が係合可能となっている。この爪部２８が被係合部２０Ａに係合された状態で、容器ホルダー１０が取付凹部２０に固定される。
【００２０】
ここで、図２及び図３に示すように、容器ホルダー１０は、本体１２と、蓋体１６とで構成されており、蓋体１６は本体１２に開閉可能に取り付けられている。一方、本体１２には蓋体１６によって開閉される保持部１４が設けられており、ペットボトル等外径寸法の大きい容器を保持可能となっている。
【００２１】
また、本体１２の内側面の長手方向中央には、内側へ向かって山形形状の受け部３０、３２が対向して設けられており、この受け部３０、３２によって、保持部１４内で保持された容器が横転しないように支持される。
【００２２】
さらに、本体１２の内側面の幅方向には、受け部３２の高さに合わせて載置台６０が設けられており、蓋体１６側に回動可能に取り付けられた押え板５８を倒すと押え板５８が載置され、この状態で押え板５８は本体１２の底面と平行となり、保持部１４に保持された容器の側面が支持部５９によって支持される。
【００２３】
この支持部５９は受け部３２よりも内側へ張り出しており、ペットボトルなど、外径寸法の大きい容器の場合、受け部３０、３２によって支持し、外径寸法の小さい容器の場合は、押え板５８を倒した状態で、受け部３０と支持部５９によって支持する。
【００２４】
一方、図５に示すように、本体１２の外側面には、ガイド部３４が設けられている。このガイド部３４は略く字状を成しており、縁部３６Ａから屈曲部３７までのガイド領域３６と、屈曲部３７から縁部３８Ａまでのガイド領域３８と、に大別される。
【００２５】
また、蓋体１６の両端部からは、鉤状の軸板４０が延出している。この軸板４０の先端部４０Ａ及び屈曲部４０Ｂには、それぞれボス４２、４４が内側へ向かって突設している。このボス４２、４４の先端部には、可撓性部材によって成形された緩衝部材７２を嵌め込んでいる。
【００２６】
この緩衝部材７２の幅をガイド部３４の幅よりも大きくしており、軸板４０を本体１２の外側に配置させ、図８に示すように、ボス４２をガイド領域３６内に挿入させると（なお、ボス４４についてはボス４２と略同一であるため図示を省略する）、ボス４２の先端部に嵌め込まれた緩衝部材７２は周縁部が撓んだ状態でガイド領域３６内に収容される（後述する）。
【００２７】
これにより、緩衝部材７２が嵌め込まれたボス４２、４４はガイド部３４に沿って移動可能となり、ボス４２がガイド領域３６内を移動し、ボス４４がガイド領域３８内を移動することで、蓋体１６が開閉可能となり、保持部１４を開閉させることができる。
【００２８】
具体的には、図６の実線で示すように、蓋体１６の閉止状態では、ボス４２がガイド領域３６のＰ点に位置しており、蓋体１６を開放させるとき、ボス４２を中心としてボス４４がガイド領域３８に沿ってＱ点からＲ点へ移動し、これにより、蓋体１６の後方を本体１２の下方側へ引き下げる（点線で示す）。
【００２９】
このように、蓋体１６が所定角度開放すると、ボス４２はガイド領域３６に沿ってＰ点からＱ点へ向かって移動する。このボス４２の移動と共に、ボス４４はガイド領域３８に沿ってＲ点からＳ点へ移動する。
【００３０】
これにより、一点鎖線で示すように、蓋体１６が本体１２の背面に収められる。このように、蓋体１６を所定角度開放させた後で軸板４０の回転中心を変え、蓋体１６を本体１２の背面に収めることができるため、開放された蓋体１６が邪魔になることはない。
【００３１】
また、ボス４２、４４がそれぞれ異なるガイド領域３６、３８を移動することによって、回転中心を徐々に変えていくことが可能となり、蓋体１６の動きをスムーズにすることができる。
【００３２】
ここで、ガイド領域３８は途中で円弧の中心が反転する緩やかな凹凸となっており、頂部となる部分が変曲部４６である。ボス４４がこの変曲部４６を乗り越えると、後述するトーションバネ４８が軸板４０を押圧することで発生する蓋体１６を回転させるためのモーメントの向きが変わる。このため、ボス４４が変曲部４６を通過するとき、トーションバネ４８による付勢力によって蓋体１６が自動的に開放或いは閉止する。
【００３３】
ここで、図３に示すように、本体１２の外側面には、ボス５０が突設されており、トーションバネ４８の一端部が係止可能となっている。このトーションバネ４８の一端部には、ボス５０の外径寸法よりも若干大きい内径寸法の環状部４８Ａが形成されている。一方、ボス５０の先端部には、保持片５０Ａが張り出しており、この保持片５０Ａに環状部４８Ａを引っ掛けてボス５０に挿入すると環状部４８Ａがボス５０に係止される。
【００３４】
また、トーションバネ４８の他端部には、鉤部４８Ｂが形成されており、軸板４０の先端部４０Ａと屈曲部４０Ｂの間に形成されたスリット５２に係止可能となっている。ここで、鉤部４８Ｂはトーションバネ４８の付勢力によってスリット５２の奥方へ押し付けられ、スリット５２から外れないようになっている。
【００３５】
以上のような構成により、トーションバネ４８の一端部を本体１２に取り付け、トーションバネ４８の他端部を軸板４０に取り付け、トーションバネ４８が軸板４０を押圧することで、蓋体１６を回転させるためのモーメントが得られる。
【００３６】
ところで、本体１２の前方側は切り下げられており、これに伴って、フランジ部２４の前方側が切り下げられている。フランジ部２４の後方側はガイド領域３６の形状に沿って緩やかな曲線を描いており、切り下げられた部分が当接面６８となっている。
【００３７】
一方、蓋体１６の軸支部５６は蓋体１６の後方から前方へ架けて緩やかな傾斜面７０となっており、蓋体１６を閉止したときに、傾斜面７０が当接面６８に当接することで、蓋体１６が閉止した状態で蓋体１６のズレがないようにしている。
【００３８】
また、図１及び図４に示すように、蓋体１６の天面には、長手方向の中央部に緩やかな凸部１６Ａが設けられており、外周壁の長さが長くなっている。この外周壁には掛かり部１７が凹設されており、指が掛かり、閉止された蓋体１６を開放しやすく易くなっている。
【００３９】
一方、図２に示すように、本体１２のフランジ部２４には、クッション材収納部６３が突設されており、このクッション材収納部６３には、クッション材６４が収納されている。このクッション材６４はトーションバネ４８によって発生するモーメントによって蓋体１６が閉止するとき、蓋体１６の内周壁に当接して蓋体１６を閉止させた状態で蓋体１６がズレないようにしている。
【００４０】
次に、本形態に係る容器ホルダー１０の要部について説明する。
【００４１】
図７及び図８に示すように、緩衝部材７２は略傘形状を成しており、傘部７４と柄部７６とで構成されている。傘部７４は略円錐台に形成されており、底面には環状の凹部７２Ａが凹設されている。これにより、傘部７４の周縁部は肉薄となり、可撓し易くしている。また、底面の中心部からは柄部７６が垂下しており、柄部７６には環状の係合部７６Ａが凸設している。
【００４２】
一方、軸板４０に設けられたボス４２（なお、ボス４４についてはボス４２と略同一であるため図示を省略する）には中空部７８が設けられており、軸方向の中央部付近には、縮径部８０が形成されている。この縮径部８０を最小径としてボス４２の軸方向では、テーパ面８０Ａ、８０Ｂが形成されている。
【００４３】
これにより、緩衝部材７２の柄部７６をボス４２の中空部７８内へ押し込み、柄部７６に凸設された係合部７６Ａを可撓させて縮径部８０を通過させると、係合部７６Ａは縮径部８０によって係合され、緩衝部材７２がボス４２、４４に装着される。このように、緩衝部材７２をボス４２、４４内へ押し込むだけで、簡単に緩衝部材７２をボス４２、４４に装着させることができる。
【００４４】
ところで、ボス４２の先端部には小径の段部８２が形成されいる。この段部８２の先端部は、傘部７４に設けられた凹部７２Ａ内に収容可能となっており、傘部７４の周縁部はボス４２の外周面からはみ出した状態で先端部に当接する。
【００４５】
ここで、段部８２の幅は凹部７２Ａの幅よりも小さくなっており、段部８２と凹部７２Ａとの間には隙間が設けられる。これにより、傘部７４の周縁部を押圧すると、周縁部は容易に縮径可能となる。
【００４６】
一方、本体１２に形成されたガイド領域３６及びガイド領域３８（なお、ガイド領域３８についてはガイド領域３６と略同一であるため図示を省略する）の底面からは、ガイド領域３６の幅方向の中央部にガイド領域３６の長手方向に沿って突部８４が突設されている。この突部８４には、ガイド領域３６内に収容されるボス４２に嵌め込まれた緩衝部材７２の傘部７４の頂部が当接可能となっている。
【００４７】
このため、蓋体１６の開閉動作と共に、緩衝部材７２の傘部７４の頂部が突部８４を摺動し、これにより、蓋体１６の開閉時に摺動抵抗が与えられる。従って、トーションバネ４８によって発生するモーメントによって蓋体１６が開閉するとき、その運動エネルギーが減衰されるため、蓋体１６が本体１２と当接するときの衝撃が緩和される。
【００４８】
また、ボス４２とガイド領域３６との間に隙間が生じたとしても、ボス４２、４４に嵌め込まれた緩衝部材７２の傘部７４の周縁部によって該隙間を埋めることができるため、蓋体１６が開放或いは閉止する際に、蓋体１６がガタつくことはなく、スムーズな動作を得ることができる。
【００４９】
一方、緩衝部材７２の傘部７４の幅をガイド領域３６の幅よりも大きくすることで、ガイド領域３６内に傘部７４を収納するとき、傘部７４の周縁部を縮径させ、傘部７４をガイド領域３６の側壁に当接させる。これにより、ガイド領域３６の突部８４だけでなく、側壁にも緩衝部材７２を摺動させるため、緩衝部材７２による摺動抵抗を安定させることができる。
【００５０】
また、ガイド部３４の底面から側壁の全面に渡って緩衝部材７２を摺動させると、摺動力が強すぎてしまい、蓋体１６の開閉時に却って不都合が生じる場合もあるため、緩衝部材７２でガイド部３４の側壁及び突部８４を摺動させることによって、適度な摺動力を得ることができる。
【００５１】
なお、本形態では、緩衝部材７２をボス４２、４４の先端部に嵌め込んだが、これに限るものではなく、ボス４２、４４に緩衝部材７２を一体成形しても良い。また、蓋体１６の開閉時に摺動抵抗を与えることができれば良いため、例えば、ガイド部３４内にシボ、コーティング等を施し、ガイド部３４内の表面摩擦係数を上げることで、ボス４２、４４が移動するときに摺動抵抗を与えるようにしても良い。
【００５２】
また、蓋体１６側にボス４２、４４を設け、本体１２側にガイド部３４を設けたが、これに限るものではなく、蓋体側にガイド部を設け、本体側にボス設けても良い。
【００５３】
さらに、本形態では、軸板４０にボス４２、４４を設け、それぞれガイド領域３６とガイド領域３８とに沿って移動可能としたが、ボスは一つでも良い。また、ガイド領域３６とガイド領域３８とを連設させたが、蓋体１６を開放させるときに、軸板４０の回転中心を変えて蓋体１６が邪魔にならないようにできれば良いため、ガイド領域３６とガイド領域３８とを必ずしも連設させる必要はない。
【００５４】
【発明の効果】
本発明は、上記構成としたので、請求項１及び請求項２に記載の発明では、蓋体が開閉するときのエネルギーが減衰され、蓋体が本体に当接するときの衝撃を緩和させることができる。また、軸部又はガイド部の寸法のバラツキにより、軸部とガイド部との間に隙間が生じたとしても、ガイド部又は軸部に設けられた緩衝部材によって該バラツキを吸収することができるため、蓋体が開放或いは閉止する際に、蓋体がガタつくことがなく、スムーズな動作を得ることができる。さらに、ガイド部の底面だけでなく、側壁にも緩衝部材を摺動させるため、緩衝部材による摺動抵抗を安定させることができる。また、緩衝部材でガイド部の側壁及び突壁を摺動させることによって、適度な摺動力を得ることができる。
【００５５】
請求項３に記載の発明では、軸部又はガイド部の寸法のバラツキにより、軸部とガイド部との間に隙間が生じたとしても、ガイド部又は軸部に設けられた緩衝部材によって該バラツキを吸収することができるため、蓋体が開放或いは閉止する際に、蓋体がガタつくことがなく、スムーズな動作を得ることができる。また、ガイド部の底面だけでなく、側壁にも緩衝部材を摺動させるため、緩衝部材による摺動抵抗を安定させることができる。
【００５７】
請求項４に記載の発明では、軸部が変曲部を通過するとき、付勢手段による付勢力によって蓋体が自動的に開放或いは閉止する。
【図面の簡単な説明】
【図１】本形態に係る容器ホルダーをセンターコンソールに配設した状態を示す斜視図である。
【図２】本形態に係る容器ホルダーに設けられた押え板を起立させた状態を示す斜視図である。
【図３】本形態に係る容器ホルダーに設けられた押え板を倒した状態を示す斜視図である。
【図４】本形態に係る容器ホルダーをセンターコンソールの取付凹部に固定した状態を示す正面図である。
【図５】本形態に係る容器ホルダーの蓋体を開放又は閉止させるときの移動状態を示す側面図である。
【図６】本形態に係る容器ホルダーの蓋体を開放又は閉止させるときの移動状態を示す側面図である。
【図７】本形態に係る容器ホルダーの蓋体の軸部に設けられたボス及び緩衝部材を示す分解斜視図である。
【図８】本形態に係る容器ホルダーの本体に設けられたガイド部内に蓋体のボスに嵌め込まれた緩衝部材が係合している状態を示す断面図である。
【図９】従来の容器ホルダーの蓋体を開放又は閉止させるときの移動状態を示す側面図である。
【図１０】従来の容器ホルダーの本体に設けられたガイド部内に蓋体のボスが係合している状態を示す断面図である。
【符号の説明】
１０   容器ホルダー
１２   本体（箱体）
１６   蓋体
３４   ガイド部
３６   ガイド領域（ガイド部）
３８   ガイド領域（ガイド部）
４０   軸板（軸部）
４２   ボス（軸部）
４４   ボス（軸部）
４６   変曲部
４８   トーションバネ（付勢手段）
７２   緩衝部材（可撓性部材）
８４   突部（突壁）
【図１】
0004762447.tif 000002
【図２】
0004762447.tif 000003
【図３】
0004762447.tif 000004
【図４】
0004762447.tif 000005
【図５】
0004762447.tif 000006
【図６】
0004762447.tif 000007
【図７】
0004762447.tif 000008
【図８】
0004762447.tif 000009
【図９】
0004762447.tif 000010
【図１０】
0004762447.tif 000011